【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
体液を吸収するために皮膚に対して又は皮膚の付近で使用するための、吸収性材料と有効量の第１活性成分とからなる吸収性のエキソプロテイン抑制物品であって、前記第１活性成分は、一般式、すなわち、
【化１】
2005523239.tif 000001
を有し、式中Ｒ1は、Ｈ、
【化２】
2005523239.tif 000002
−ＯＲ5、−Ｒ6Ｃ（Ｏ）Ｈ、−Ｒ6ＯＨ、−Ｒ6ＣＯＯＨ、−ＯＲ6ＯＨ、−ＯＲ6ＣＯＯＨ、−Ｃ（Ｏ）ＮＨ2、
【化３】
2005523239.tif 000003
及びＮＨ2並びにそれらの塩からなる群から選択され、Ｒ5は、一価の飽和又は不飽和脂肪族ヒドロカルビル部分であり、Ｒ6は、二価の飽和又は不飽和脂肪族ヒドロカルビル部分であり、Ｒ7は、三価飽和又は不飽和脂肪族ヒドロカルビル部分であり、Ｒ8は、ヘテロ原子が介在してもしなくても良い一価置換又は非置換飽和又は不飽和脂肪族ヒドロカルビル部分であり、Ｒ2、Ｒ3及びＲ4は、Ｈ、ＯＨ、ＣＯＯＨ、及び−Ｃ（Ｏ）Ｒ9からなる群から別個に選択され、Ｒ9は水素又は一価飽和又は不飽和脂肪族ヒドロカルビル部分であり、前記第１活性成分は、グラム陽性菌からのエキソプロテイン産生を抑制するのに効果的であることを特徴とする吸収性のエキソプロテイン抑制物品。
【請求項２】
前記第１活性成分は、２−フェニルエタノール、ベンジルアルコール、トランス−桂皮酸、４−ヒドロキシ安息香酸、メチルエステル、２−ヒドロキシ安息香酸、２−ヒドロキシベンズアミド、アセチルチロシン、３，４，５−トリヒドロキシ安息香酸、ラウリル３，４，５−トリヒドロキシベンゾエート、フェノキシエタノール、４−ヒドロキシ−３−メトキシ安息香酸、ｐ−アミノ安息香酸、及びアセトアミノフェンを含むことを特徴とする請求項１に記載の吸収性のエキソプロテイン抑制物品。
【請求項３】
前記第１活性成分は、吸収性物品１グラム当り少なくとも約０．１マイクロモルの量で存在することを特徴とする請求項１に記載の吸収性のエキソプロテイン抑制物品。
【請求項４】
前記物品は、月経用タンポン、生理用ナプキン、パンティライナ、失禁用下着、おむつ、創傷被覆材、歯科用止血栓、医療用止血栓、外科用止血栓、及び鼻用止血栓からなる群から選択されることを特徴とする請求項１に記載の吸収性のエキソプロテイン抑制物品。
【請求項５】
Ｃ8−Ｃ18脂肪酸を脂肪族アルコールに連結するエーテル、エステル、アミド、グリコシド、又はアミン結合をもつ有効量の第２活性成分をさらに含み、前記第２活性成分は、グラム陽性菌からのエキソプロテイン産生を実質的に抑制するのに効果的であることを特徴とする請求項１に記載の吸収性のエキソプロテイン抑制物品。
【請求項６】
一般式、すなわち、
Ｒ10−Ｏ−Ｒ11
を有する有効量の第２活性成分をさらに含み、式中Ｒ10は、８から約１８までの炭素原子をもつ直鎖又は分枝アルキルか、もしくは直鎖又は分枝アルケニルであり、Ｒ11は、アルコール、ポリアルコキシル化硫酸塩、及びポリアルコキシル化スルホコハク酸塩からなる群から選択され、前記第２活性成分は、グラム陽性菌からのエキソプロテイン産生を実質的に抑制するのに効果的であることを特徴とする請求項１に記載の吸収性のエキソプロテイン抑制物品。
【請求項７】
前記第２活性成分は、吸収性物品１グラム当り少なくとも約０．１マイクロモルの量で存在することを特徴とする請求項６に記載の吸収性のエキソプロテイン抑制物品。
【請求項８】
グラム陽性菌からのエキソプロテイン産生を抑制するために膣内で用いられ、有効量の第１活性成分が堆積された非吸収性基体を備えるエキソプロテイン抑制体であって、前記第１活性成分は、一般式、すなわち、
【化４】
2005523239.tif 000004
を有し、式中Ｒ1は、Ｈ、
【化５】
2005523239.tif 000005
−ＯＲ5、−Ｒ6Ｃ（Ｏ）Ｈ、−Ｒ6ＯＨ、−Ｒ6ＣＯＯＨ、−ＯＲ6ＯＨ、−ＯＲ6ＣＯＯＨ、−Ｃ（Ｏ）ＮＨ2、
【化６】
2005523239.tif 000006
及びＮＨ2並びにそれらの塩からなる群から選択され、Ｒ5は、一価の飽和又は不飽和脂肪族ヒドロカルビル部分であり、Ｒ6は、二価の飽和又は不飽和脂肪族ヒドロカルビル部分であり、Ｒ7は、三価飽和又は不飽和脂肪族ヒドロカルビル部分であり、Ｒ8は、ヘテロ原子が介在してもしなくても良い一価置換又は非置換飽和又は不飽和脂肪族ヒドロカルビル部分であり、Ｒ2、Ｒ3及びＲ4は、Ｈ、ＯＨ、ＣＯＯＨ、及び−Ｃ（Ｏ）Ｒ9からなる群から別個に選択され、Ｒ9は水素又は一価飽和又は不飽和脂肪族ヒドロカルビル部分であり、前記第１活性成分は、グラム陽性菌からのエキソプロテイン産生を抑制するのに効果的であることを特徴とするエキソプロテイン抑制体。
【請求項９】
２−フェニルエタノール、ベンジルアルコール、トランス−桂皮酸、４−ヒドロキシ安息香酸、メチルエステル、２−ヒドロキシ安息香酸、２−ヒドロキシベンズアミド、アセチルチロシン、３，４，５−トリヒドロキシ安息香酸、ラウリル３，４，５−トリヒドロキシベンゾエート、フェノキシエタノール、４−ヒドロキシ−３−メトキシ安息香酸、ｐ−アミノ安息香酸、及びアセトアミノフェンからなる群から選択されることを特徴とする請求項８に記載のエキソプロテイン抑制体。
【請求項１０】
前記第１活性成分は、非吸収性物品１グラム当り少なくとも約０．０１マイクロモルの量で存在することを特徴とする請求項８に記載のエキソプロテイン抑制体。
【請求項１１】
前記非吸収性物品は、非吸収性失禁用装置、避妊障壁装置、避妊用スポンジ、タンポンアプリケータ、又は灌注器からなる群から選択されることを特徴とする請求項８に記載のエキソプロテイン抑制体。
【請求項１２】
Ｃ8−Ｃ18脂肪酸を脂肪族アルコールに連結するエーテル、エステル、アミド、グリコシド、又はアミン結合をもつ有効量の第２活性成分をさらに含み、前記第２活性成分は、グラム陽性菌からのエキソプロテイン産生を実質的に抑制するのに効果的であることを特徴とする請求項８に記載のエキソプロテイン抑制体。
【請求項１３】
前記第２活性成分は、非吸収性物品１グラム当り少なくとも約０．０００１マイクロモルの量で存在することを特徴とする請求項１２に記載のエキソプロテイン抑制体。
【請求項１４】
膣内で及び膣の周りでグラム陽性菌からのエキソプロテイン産生を抑制するための膣洗浄組成物であって、製薬上許容可能なキャリアと有効量の第１活性成分とからなり、前記第１活性成分は、一般式、すなわち、
【化７】
2005523239.tif 000007
を有し、式中Ｒ1は、Ｈ、
【化８】
2005523239.tif 000008
−ＯＲ5、−Ｒ6Ｃ（Ｏ）Ｈ、−Ｒ6ＯＨ、−Ｒ6ＣＯＯＨ、−ＯＲ6ＯＨ、−ＯＲ6ＣＯＯＨ、−Ｃ（Ｏ）ＮＨ2、
【化９】
2005523239.tif 000009
及びＮＨ2並びにそれらの塩からなる群から選択され、Ｒ5は、一価の飽和又は不飽和脂肪族ヒドロカルビル部分であり、Ｒ6は、二価の飽和又は不飽和脂肪族ヒドロカルビル部分であり、Ｒ7は、三価飽和又は不飽和脂肪族ヒドロカルビル部分であり、Ｒ8は、ヘテロ原子が介在してもしなくても良い一価置換又は非置換飽和又は不飽和脂肪族ヒドロカルビル部分であり、Ｒ2、Ｒ3及びＲ4は、Ｈ、ＯＨ、ＣＯＯＨ、及び−Ｃ（Ｏ）Ｒ9からなる群から別個に選択され、Ｒ9は水素又は一価飽和又は不飽和脂肪族ヒドロカルビル部分であり、前記第１活性成分は、グラム陽性菌からのエキソプロテイン産生を抑制するのに効果的であることを特徴とする膣洗浄組成物。
【請求項１５】
前記第１活性成分は、２−フェニルエタノール、ベンジルアルコール、トランス−桂皮酸、４−ヒドロキシ安息香酸、メチルエステル、２−ヒドロキシ安息香酸、２−ヒドロキシベンズアミド、アセチルチロシン、３，４，５−トリヒドロキシ安息香酸、ラウリル３，４，５−トリヒドロキシベンゾエート、フェノキシエタノール、４−ヒドロキシ−３−メトキシ安息香酸、ｐ−アミノ安息香酸、及びアセトアミノフェンを含むことを特徴とする請求項１４に記載の膣洗浄組成物。
【請求項１６】
約０．２ミリモル／リットルから約５０ミリモル／リットルまでの芳香族化合物をさらに含むことを特徴とする請求項１４に記載の膣洗浄組成物。
【請求項１７】
Ｃ8−Ｃ18脂肪酸を脂肪族アルコールに連結するエーテル、エステル、アミド、グリコシド、又はアミン結合をもつ有効量の第２活性成分をさらに含み、前記第２活性成分は、グラム陽性菌からのエキソプロテイン産生を実質的に抑制するのに効果的であることを特徴とする請求項１４に記載の膣洗浄組成物。
【請求項１８】
一般式、すなわち、
Ｒ10−Ｏ−Ｒ11
を有する有効量の第２活性成分をさらに含み、式中Ｒ10は、８から約１８までの炭素原子をもつ直鎖又は分枝アルキルか、もしくは直鎖又は分枝アルケニルであり、Ｒ11は、アルコール、ポリアルコキシル化硫酸塩、及びポリアルコキシル化スルホコハク酸塩からなる群から選択され、前記第２活性成分は、グラム陽性菌からのエキソプロテイン産生を実質的に抑制するのに効果的であることを特徴とする請求項１４に記載の膣洗浄組成物。
【請求項１９】
約０．２５ミリモル／リットルから約１０ミリモル／リットルまでの第２活性成分をさらに含むことを特徴とする請求項１８に記載の膣洗浄組成物。
【請求項２０】
グラム陽性菌からのエキソプロテイン産生を抑制する方法であって、前記グラム陽性菌を有効量の第１活性成分に曝すことを含み、前記第１活性成分は、一般式、すなわち、
【化１０】
2005523239.tif 000010
を有し、式中Ｒ1は、Ｈ、
【化１１】
2005523239.tif 000011
−ＯＲ5、−Ｒ6Ｃ（Ｏ）Ｈ、−Ｒ6ＯＨ、−Ｒ6ＣＯＯＨ、−ＯＲ6ＯＨ、−ＯＲ6ＣＯＯＨ、−Ｃ（Ｏ）ＮＨ2、
【化１２】
2005523239.tif 000012
及びＮＨ2並びにそれらの塩からなる群から選択されることを特徴とする方法。